(57)【要約】      （修正有）【課題】布地製品の生地に縫い付けることなく容易に布地製品に取り付けることができると同時に感熱性接着剤により、布地の解れ止めの役割を果たした縁取りテープを提供する。【解決手段】表面１４に多数の凹部１６からなる装飾模様を有するテープ基布１８と、該テープ基布の裏面に塗布された感熱性接着剤層とを含む。前記テープ基布は長手方向に折目２４を有し、前記折目は間隔を置いて設けられた複数の切れ目からなる。【選択図】図１Ａ
0003143009.tif 000002
【実用新案登録請求の範囲】
【請求項１】
表面に多数の凹部からなる装飾模様を有するテープ基布と、該テープ基布の裏面に塗布された感熱性接着剤層とを含む、縁取りテープ。
【請求項２】
前記テープ基布は長手方向に折目を有する、請求項１に記載の縁取りテープ。
【請求項３】
前記折目は間隔を置いて設けられた複数の切れ目からなる、請求項２に記載の縁取りテープ。
【請求項４】
前記テープ基布は長手方向にみぞ穴を有する、請求項１に記載の縁取りテープ。
【請求項５】
前記テープ基布は幅方向における両端部又は一端部に長手方向に沿って前記装飾模様を有する、請求項１に記載の縁取りテープ。
【考案の詳細な説明】
【技術分野】
【０００１】
本考案は、カーテン、ハンカチ、傘、衣類、履物のような布地製品の縁部に取り付けられ、縁部のほつれを防止するとともに、この布地製品を装飾する縁取りテープに関する。
【背景技術】
【０００２】
従来、このような縁取りテープは、長手方向に沿って二つ折りしたテープの両縁部で、衣類、身の回り品等の布地製品の生地縁を挟むように縫着される（例えば、特許文献１参照）。
【特許文献１】特開２００２−３０９４２５号公報
【０００３】
しかし、前記従来の縁取りテープを布地製品に取り付ける場合には、縫い付けなければならず、縫い付け作業は時間がかかり、容易ではなかった。特に、運動靴のような厚みのある硬い布地からなる繊維製品に前記縁取りテープを取り付けるときは、ミシン縫いであっても針を通し難く、縫い付け作業に時間がかかり、容易ではなかった。
【０００４】
また、縫い付ける際には、布地の端が解れないように、布地の端を折り曲げて縫い付けてから、さらに縁取りテープを縫い付けるという二重の手間が掛かっていた。
【考案の開示】
【考案が解決しようとする課題】
【０００５】
本考案の目的は、前記従来の縁取りテープに比較して時間をかけずに容易に布地製品に取り付けることができる縁取りテープを提供することにある。
【課題を解決するための手段】
【０００６】
本考案に係る縁取りテープは、表面に多数の凹部からなる装飾模様を有するテープ基布と、該テープ基布の裏面に塗布された感熱性接着剤層とを含む。
【０００７】
前記テープ基布は長手方向に折目を有することができる。前記折目は間隔を置いて設けられた複数の切れ目からなってもよい。また、前記テープ基布は長手方向にみぞ穴を有することができる。さらに、前記テープ基布は幅方向における両端部又は一端部に長手方向に沿って前記装飾模様を有することができる。
【考案の効果】
【０００８】
本考案によれば、前記テープ基布を前記感熱性接着剤層によって布地製品に接着させて取り付けることができる。これにより、本考案に係る縁取りテープは、布地製品の生地縁の解れを防止することができるとともに、布地製品の生地に縫い付けることなく容易に布地製品に取り付けることができる。
【０００９】
前記テープ基布の長手方向に折目又はみぞ穴を設ければ、該折目又はみぞ穴に沿って前記テープ基布をきれいに折り曲げることができる。これにより、二つ折りにした前記縁取りテープの裏面側で布地製品の生地の縁部を挟むために、前記テープ基布を布地製品に容易に位置決めすることができる。また、みぞ穴であれば、これに沿って容易に折り曲げることができる。
【００１０】
前記折目を、間隔を置いて設けられた複数の切れ目から構成すれば、これらに沿って容易に折り曲げることができる。
【考案を実施するための最良の形態】
【００１１】
図１Ａ及び図２を参照すると、本考案に係る縁取りテープの第１の実施例が全体に符号１０で示されている。
【００１２】
縁取りテープ１０は、図３に示すように、カーテン１２のような布地製品に取り付けられ、これを装飾するために用いられる。
【００１３】
縁取りテープ１０は、表面１４に多数の凹部１６を有するテープ基布１８と、該テープ基布１８の裏面２０に塗布された感熱性接着剤層２２とを含む。
【００１４】
多数の凹部１６は装飾模様を形成する。これらの凹部１６は、例えば超音波加工機、熱源、レーザ加工機等の溶融手段によって、テープ基布１８の表面１４を溶融して形成される。なお、超音波加工機は、他の加工手段よりも、多数の微細な凹部をテープ基布に形成できるので、縁取りテープ１０を製作するために使用することが望ましい。
【００１５】
図示の例では、テープ基布１８は幅方向の両端部に凹部１６の形成と同様に溶融して形成された段差部１８ａを有する。この段差部１８ａによって、凹部１６から形成される装飾模様はテープ基布１８上において立体感を呈する。
【００１６】
テープ基布１８は、合成繊維製又は化学繊維製の織物、合成樹脂製のフィルム等からなる。また、テープ基布１８は、単一の色彩を有するもの、２つ以上の色彩を有するもの、模様を有するもの、模様を有しない無地のもの等を使用することができる。
【００１７】
テープ基布１８はその長手方向に折目２４を有する。折目２４はテープ基布１８の幅方向における中央部に設けられている。折目２４は、凹部１６の形成と同様に、例えば超音波加工機、熱源、レーザ加工機等の溶融手段によって、テープ基布１８の表面１４を溶融して形成される。
【００１８】
図示の例では、折目２４は間隔を置いて設けられた複数の切れ目からなる。各切れ目は、図２に示されるように、テープ基布１８を厚さ方向に貫通していないが、貫通していてもよい。異なる周波数で超音波加工機を使用すれば、切れ目の深さを調節できる。
【００１９】
また、図示の例では、折目はテープ基布の幅方向における中央部に設けられているが、中央部以外にも設けることができ、折目の数も２つ以上にすることができる。
【００２０】
さらに、凹部１６はテープ基布１８の幅方向における両端部に形成されたが、図１Ｂに示すように、一端部にのみ形成することができる。
【００２１】
縁取りテープ１０によるカーテン１２の装飾は、図３に示すように、折目２４から縁取りテープ１０を感熱性接着剤層２２が向き合うように折り曲げ、折り曲げた縁取りテープ１０でカーテン１２の縁部を挟む。カーテン１２の縁部を挟んだ縁取りテープ１０の表面１４からアイロン等の熱源を押し付ける。これにより、縁取りテープ１０とカーテン１２とは互いに感熱性接着剤層２２を介して接着される。同時に、カーテン１２の縁部の解れが感熱性接着剤層２２によって防止される。
【００２２】
なお、図４は、図１の凹部１６とは異なる形状の凹部１６ａを有する縁取りテープ４０の平面図を示し、凹部１６ａは図１の凹部１６が形成する装飾模様とは異なる装飾模様を形成する。凹部１６ａは、図１の凹部１６の形成と同様に、例えば超音波加工機、熱源、レーザ加工機等の溶融手段によって、テープ基布１８の表面１４を溶融して形成される。
【００２３】
テープ基布１８は、折目２４に代えて、図５に示すように、長手方向にみぞ穴２６を備えることができる。みぞ穴２６は、図１の凹部１６の形成と同様に、例えば超音波加工機、熱源、レーザ加工機等の溶融手段によって、テープ基布１８の表面１４を溶融して形成される。なお、図５は、図４の凹部１６ａをテープ基布１８の幅方向における両端部及び一方の端部に有する縁取りテープ５０の平面図を示す。
【産業上の利用可能性】
【００２４】
本考案は、上記実施例に限定されず、本考案の趣旨を逸脱しない限り、種々変更できる。
【図面の簡単な説明】
【００２５】
【図１Ａ】本考案に係る縁取りテープの第１の実施例を示す平面図。
【図１Ｂ】図１Ａに示した第１の実施例の変形例を示す平面図。
【図２】図１Ａの２−２線に沿って切断した縁取りテープの拡大概略断面図。
【図３】図１の縁取りテープをカーテンに取り付けた使用状態図。
【図４】本考案に係る縁取りテープの第２の実施例を示す平面図。
【図５】本考案に係る縁取りテープの第３の実施例を示す平面図。
【符号の説明】
【００２６】
１０、４０、５０  縁取りテープ
１２  カーテン（布地製品）
１４  表面
１６、１６ａ  凹部
１８  テープ基布
１８ａ  段差部
２０  裏面
２２  感熱性接着剤層
２４  折目
２６  みぞ穴
【図１Ａ】
0003143009.tif 000003
【図１Ｂ】
0003143009.tif 000004
【図２】
0003143009.tif 000005
【図３】
0003143009.tif 000006
【図４】
0003143009.tif 000007
【図５】
0003143009.tif 000008